(57)【要約】【課題】ＬＥＤ等のソリッドステート光源と、光導波路と、熱導波路とを有するソリッドステートライト。【解決手段】光導波路は光源に結合されて、光源からの光を受光及び分配し、熱導波路は光導波路と統合されて、ソリッドステート光源からの熱伝導を提供し、かつ対流によって熱を放散してライトを冷却する。【選択図】図６
2016012573.tif 000002
【特許請求の範囲】
【請求項１】
統合された光導波路及び熱導波路を有するライトであって、
光源と、
前記光源に結合されて、前記光源からの光を受光及び分配する光導波路と、
前記光導波路と統合されて、前記光源からの熱伝導を提供して前記ライトを冷却する熱導波路と、を備えるライト。
【請求項２】
前記光源が、発光ダイオード及び有機発光ダイオードのうちの１つ以上を含む、請求項１に記載のライト。
【請求項３】
前記光源に結合された熱拡散器を更に備える、請求項１に記載のライト。
【請求項４】
前記光導波路が光抽出機構を含む、請求項１に記載のライト。
【請求項５】
前記光導波路が複数の開口を含む、請求項１に記載のライト。
【請求項６】
前記光導波路の片側上の反射層を更に備える、請求項１に記載のライト。
【請求項７】
前記熱導波路が反射表面を含む、請求項１に記載のライト。
【請求項８】
前記光導波路が１枚の材料を含み、前記熱導波路が前記光導波路と同延の熱伝導性材料を含む、請求項１に記載のライト。
【請求項９】
前記光源に電力を供給するための回路を更に備える、請求項１に記載のライト。
【請求項１０】
統合された光導波路及び熱導波路を有するライトであって、
光源と、
外面及び内面を有する材料を含む光導波路であって、前記光源に結合されて前記光源からの光を前記外面を介して受光及び分配する、光導波路と、
前記光導波路の前記内面と統合されて、前記光源からの熱伝導を提供して前記ライトを冷却する熱導波路と、を備えるライト。
【請求項１１】
前記光源が、発光ダイオード及び有機発光ダイオードのうちの１つ以上を含む、請求項１０に記載のライト。
【請求項１２】
前記光源に結合された熱拡散器を更に備える、請求項１０に記載のライト。
【請求項１３】
前記熱導波路を横切って空気を引き込むファンを更に備える、請求項１０に記載のライト。
【請求項１４】
前記光導波路の前記表面が光抽出機構を含む、請求項１０に記載のライト。
【請求項１５】
前記熱導波路が金属フィンを含む、請求項１０に記載のライト。
【請求項１６】
前記光導波路が複数の開口を含む、請求項１０に記載のライト。
【請求項１７】
前記光導波路の前記内面上の反射層を更に備える、請求項１０に記載のライト。
【請求項１８】
前記熱導波路が反射材料を含む、請求項１０に記載のライト。
【請求項１９】
前記光導波路が電球形を含む、請求項１０に記載のライト。
【請求項２０】
電源に対する接続のための基部を更に備え、前記熱導波路が前記基部と前記光導波路との間の穿孔部分を含む、請求項１０に記載のライト。
【請求項２１】
電源に対する接続のための基部を更に備え、前記熱導波路が前記基部と前記光導波路との間の１つ以上の開口を含む、請求項１０に記載のライト。
【請求項２２】
前記熱導波路が熱拡散器及びフィンを含み、前記熱拡散器が前記フィンに結合する機構を有する、請求項１０に記載のライト。
【請求項２３】
前記光源に電力を供給するための回路を更に備える、請求項１０に記載のライト。
【請求項２４】
統合された光導波路及び熱導波路を有するライトであって、
光源と、
外面及び内面を有する材料を含む光導波路であって、光注入、光輸送及び光抽出要素を有して前記光源からの光を分配する、光導波路と、
前記光導波路の前記内面と統合されて、前記光源からの熱伝導を提供する熱導波路であって、熱獲得、熱拡散、及び熱放散要素を有して前記ライトを冷却する、熱導波路と、を備えるライト。
【発明の詳細な説明】
【背景技術】
【０００１】
照明のエネルギー効率は、産業界、消費者、及び建築上の照明用途において重要な検討事項となっている。ソリッドステートライト技術の進歩により、発光ダイオード（ＬＥＤ）は、蛍光灯と比較してエネルギー効率がより良好となっている。また、市場はエジソン電球、蛍光灯、及び高輝度放射光用の多数の確立された取付基部を有する。これらの用途タイプは、それらに特有の点光源の性質によりＬＥＤに対して重大な技術的困難を有し、またＬＥＤを比較的低い温度で作動させる必要がある。今日では、これらの問題に対処する、ファン、熱シンク、ヒートパイプ等を含む多数の解決法が存在している。
【発明の概要】
【発明が解決しようとする課題】
【０００２】
しかしながら、これらの手法は、複雑さ、コスト、効率損失、付加された故障モード、及び望ましくない形状因子の追加により用途が限定されている。魅力的な製造コスト及び設計にて光学的及び効率的利益を提供し得る解決法を見出す必要がある。
【課題を解決するための手段】
【０００３】
本発明と一致するライトは、光源と、光導波路と、熱導波路とを備える。光導波路は光源に結合されて、光源からの光を受光及び分配し、熱導波路は光導波路と統合されて、光源からの熱伝導を提供してライトを冷却する。
【図面の簡単な説明】
【０００４】
添付の図面は、本明細書に組み込まれて本明細書の一部をなすものであって、説明文と併せて本明細書の利点と原理を説明するものである。これらの図面では、
【図１】光導波路及び統合された熱導波路を有するソリッドステート光源を示す略図。
【図２】光導波路シート及び同延の熱導波路を使用したソリッドステートライトの斜視図。
【図３】図２のライトの側面図。
【図４】光導波路シート及び二重の同延の熱導波路を使用したソリッドステートライトの斜視図。
【図５】図４のライトの側面図。
【図６】光を放射する外部部分と、冷却のための内部部分とを有する光導波路を使用したソリッドステートライトの断面側面図。
【図７】図６のライトの上面図。
【図８】図６のライトの下面図。
【図９】能動冷却要素を有するソリッドステートライトの断面側面図。
【図１０】通気道を有する熱導波路を備えるソリッドステートライトの側面図。
【図１１】図１０のライトの上面図。
【図１２】通気道を有する熱導波路を備えるソリッドステートライトの側面図。
【図１３】図１２のライトの上面図。
【図１４】単一の開口を有する熱導波路を備えるソリッドステートライトの側面図。
【図１５】図１４のライトの上面図。
【図１６】光抽出機構を有する光導波路１４０を図示する略図。
【図１７】冷却のための、又は抽出機構としての開口を有する光導波路を図示する略図。
【図１８】反射層を有する光導波路を図示する略図。
【図１９】熱導波路用のフィンに結合する機構を形成する前の、熱拡散器（heat spreader）の上面図。
【図２０】機構を形成した後の、図１９の熱拡散器の上面図。
【図２１】機構を形成した後の、図１９の熱拡散器の側面図。
【図２２】機構を形成した後の、図１９の熱拡散器の上面図。
【発明を実施するための形態】
【０００５】
図１は、電力回路１２と、ソリッドステート光源１４と、光導波路１６及び統合された熱導波路１８を含む熱光導波路とを有するライト１０の構成要素を示す略図である。電力回路１２は電源から電力を受容し、必要な電圧及び電流を提供してソリッドステート光源１４を駆動し、ソリッドステート光源１４は光導波路１６に光学的に結合されている。詳細には、ソリッドステート光源１４は光を光導波路１６内へ注入し、光導波路１６は光を受光及び分配する。光導波路１６は、光注入、光輸送、及び光抽出ゾーン又は要素を含んで、光を分配する。熱導波路１８は、光導波路１６と統合されて、ソリッドステート光源１４からの熱を伝導を介して引き込み、対流によって熱を放散してライト１０を冷却し、また冷却のために面積及び体積の両方を効率的に利用する。熱導波路１８は、熱獲得、熱拡散、及び熱放散ゾーン又は要素を含んで、ライトを冷却する。本実施形態は、光導波路と熱導波路とを統合することにより、上記に挙げたような現在のソリッドステートライトの概念の多数の限界を克服する。
【０００６】
ソリッドステート光源１４は、例えばＬＥＤ、有機発光ダイオード（ＯＬＥＤ）、又は他のソリッドステート光源を用いて実施することができる。所定の実施形態は、ソリッドステート光源からの均一に分配される光を提供することができる。代替的に、レンズを使用して、放射された光を集中させてもよい。例えば、所定の実施形態では、ライトは光錐又は光の幕を生成することができる。レンズは、冷却のために空気透過性を有してもよく、フレネルレンズ、プリズム構造、又は小型レンズ構造を含んでもよい。ソリッドステート光源は、装飾又は他の照明効果のために、様々な色の光を放射することができる。ソリッドステート光源１４は電力回路１２と電気的に接続され、電力回路１２は、フレキシブル回路又は他の電気回路を含んでソリッドステート光源に電力を供給することができる。光源に電力を供給する電気回路は、調光回路及び電子装置を含んで、より所望される光の生成を補助する周波数偏移又は色偏移構成要素を制御することができ、そのような電子装置の例は、その全体が説明されるが如く参照により本明細書に組み込まれる「ＡＣ  Ｉｌｌｕｍｉｎａｔｉｏｎ  Ａｐｐａｒａｔｕｓ  ｗｉｔｈ  Ａｍｐｌｉｔｕｄｅ  Ｐａｒｔｉｔｉｏｎｉｎｇ」と題され、２００８年６月１２日に出願された米国特許出願第１２／１３７６６７号に記載されている。
【０００７】
光導波路１６は、例えばソリッドステート光源から光を受光し、かつ光を放射することが可能な透明又は半透明材料を用いて実施することができる。例えば、光導波路１６は、ポリカーボネート、ポリメチルメタクリレート等のポリアクリレート類、ポリスチレン、ガラス、又は比較的高い屈折率を有する任意の数の異なるプラスチック材料等の、光学的に好適な材料から形成されることが好ましい。光導波路は、例えば電球形、球形、円筒形、立方体形、シート形又は他の形状等の、多様な形状で構成されてもよい。更に、光導波路は、光周波数偏移発色団（chromaphore）を含み得るマトリクス材料を含んで、より所望される演色評価数を得ることができ、マトリックス安定化染料（matrix stabilized dye）の例は、その全体が説明されるが如く参照により本明細書に組み込まれる米国特許第５，３８７，４５８号に記載されている。
【０００８】
熱導波路１８は、ソリッドステート光源からの熱を伝導し、熱を放散することが可能な材料を用いて実施することができる。例えば、熱導波路は、好ましくは約１Ｗ／（ｍ・Ｋ）〜１０００Ｗ／（ｍ・Ｋ）、より好ましくは１０Ｗ／（ｍ・Ｋ）〜１０００Ｗ／（ｍ・Ｋ）、最も好ましくは１００Ｗ／（ｍ・Ｋ）〜１０００Ｗ／（ｍ・Ｋ）の熱伝導率を有する材料を含む。熱導波路は、ソリッドステート光源からの熱を伝導を介して引き込み、対流によって熱を空気中に放散する。場合により、熱導波路の構成要素は、ヒートパイプを含んでもよい。熱導波路は光導波路と統合され、これは熱導波路がソリッドステート光源と直接又は間接的に十分接触して、ソリッドステート光源からの熱を伝導及び放散し、ライトを機能させることを意味する。例えば、熱導波路は、ソリッドステート光源からの熱を引き込んで光源の十分冷たい状態を維持し、光源を意図されるよう機能させることができる。熱導波路は、ソリッドステート光源と直接物理的に接触してもよく、又は、上部にソリッドステート光源がマウントされるリング若しくは他の構成要素等を介してソリッドステート光源と間接的に接触してもよい。熱導波路は、光導波路とも直接、又は他の構成要素を介して間接的に、物理的に接触してもよい。代替的に、熱導波路は、ソリッドステート光源からの熱を十分伝導してライトを機能させることができるならば、光導波路と物理的に接触している必要はない。したがって、熱導波路は光導波路の少なくとも一部、若しくは好ましくは主要な範囲に同延にて近接して存在し、又は内部体積を有する電球形、球形若しくは他の３次元形状の場合、光導波路の少なくとも一部若しくは好ましくは主要な体積内に存在する。
【０００９】
熱導波路は、金属コーティング若しくは層、又は伝導性粒子等の熱伝導性向上材（thermal conductive enhancements）を含んで、ソリッドステート光源により生成された熱を熱導波路内へ及び熱導波路に沿って伝導することを補助してもよい。更に、熱導波路は、フィン及び微細構造等の対流性熱伝導性向上材を有して、対流性熱伝導係数を増大させてもよい。また熱導波路は光学的向上材（optical enhancement）を有して、光導波路からの光出力を向上させてもよい。例えば、熱導波路は、反射材料から形成され、又は白色塗料、研磨表面、若しくは薄い反射材料等の反射表面をその表面上に有するよう改良された材料から形成されてもよい。
【００１０】
図２及び３はそれぞれ、光導波路シート２４及び同延の熱導波路２２を使用したソリッドステートライト２０の斜視図及び側面図である。ライト２０は、光導波路シート２４に光学的に結合された複数のソリッドステート光源２６を備える。例えば、ソリッドステート光源２６は、光導波路シート２４の縁内の半球形又は他のタイプの窪み内に配置され、またおそらく光学的に透明な接着剤を使用して固定されてもよい。光導波路シート２４は、ソリッドステート光源２６からの光を放射表面２８を介して分配し、また、表面２８全体に亘って実質的に均一な光の分配を提供するよう構成されてもよい。熱導波路２２は光導波路２４と十分に同延であり、かつ物理的に近接することにより光導波路２４と統合されてソリッドステート光源２６から熱を引き抜き、熱を放散して、ライト２８の十分冷たい状態を維持してライト２８を機能させる。
【００１１】
図４及び５はそれぞれ、光導波路シート３４と二重の同延の熱導波路３２及び３６とを使用したソリッドステートライト３０の斜視図及び側面図である。ライト３０は、光導波路シート３４に光学的に結合された複数のソリッドステート光源３８を備える。例えば、ソリッドステート光源３８は、光導波路シート３４の縁内の半球形又は他のタイプの窪み内に配置され、またおそらく光学的に透明な接着剤を使用して固定されてもよい。光導波路シート３４は、ソリッドステート光源からの光を放射末端部４０を介して分配し、また、末端部４０からの光の実質的に均一な分配を提供するよう構成されてもよい。熱導波路３２及び３６は、光導波路３４と十分に同延であり、かつ物理的に近接することにより光導波路３４と統合されて、ソリッドステート光源３８から熱を引き抜き、熱を放散して、ライト３０の十分冷たい状態を維持してライト３０を機能させる。
【００１２】
ライト２０及び３０の場合、光導波路と同延の熱導波路は、平面形に加えて多様な形状で構成されることができる。例えば、ライト２０及び３０は、装飾又は他の照明効果のために円形、螺旋形、又は非平面形で形成されることができる。光導波路は、例えば、ポリカーボネート、ポリメチルメタクリレート等のポリアクリレート類、ポリスチレン、ガラス、又は比較的高い屈折率を有する任意の数の異なるプラスチック材料から形成されることができる。同延の熱導波路は、例えば、光導波路上の金属コーティングとして形成されてもよい。
【００１３】
図６は、光を放射するための外部部分と、冷却のための内部部分とを有する光導波路を使用したソリッドステートライト４２の好ましい実施形態の断面側面図である。図７及び８はそれぞれ、ライト４２の上面図及び下面図である。ライト４２は、熱導波路５４と統合された光導波路５２と、場合による熱拡散リング４６上のソリッドステート光源とを備える。熱拡散リング４６は、熱伝導により作動し、又は熱拡散リング４６と関連したヒートパイプ若しくは熱サイホンを有してもよい。熱拡散リングは熱導波路に効率的に接続する要素を含み、前記要素の例としては、熱導波路に熱的に接続される屈曲フィン要素を含むリングが挙げられる。代替的に、ソリッドステート光源は、熱拡散リングを有さずに熱導波路に直接結合されてもよい。ソリッドステート光源の場合、ライト４２は、例えば図８に示すように、リング４６の周囲に配置されたＬＥＤ  ４８、５０、６６、６８、７０及び７２を含むことができる。ソリッドステート光源は光導波路５２に光学的に結合し、例えば光導波路５２の縁内の半球形又は他のタイプの窪み内に配置され、またおそらく光学的に透明な接着剤を使用して固定されてもよい。
【００１４】
基部４４は、電源に接続するよう構成され、また電力回路を含んで、必要な電圧及び電流を電源から提供してソリッドステート光源を駆動することができる。基部４４は、例えば、光電球ソケットと共に使用されるエジソン基部、又は従来の蛍光灯取付接続部と共に使用される基部を用いて実施することができる。通気道５６及び５８は、光導波路５２と基部４４との間に提供されて、通気道６０を通した熱導波路５４を横切る自由対流を提供する。
【００１５】
例示的な実施形態では、熱導波路は、図７に示すように、金属フィン５４、６２及び６４を用いて実施される。フィンは、図７及び８に示すように光導波路５２と統合されてソリッドステート光源４８、５０、６６、６８、７０、７２からの熱を引き込み、空気の流れを介して熱を対流によって通気道６０内に放散する。熱導波路は、場合によりヒートパイプ又は熱サイホンを含んでもよい。光導波路５２は、例えば、ポリカーボネート、ポリメチルメタクリレート等のポリアクリレート類、ポリスチレン、ガラス、又は比較的高い屈折率を有する任意の数の異なるプラスチック材料を用いて実施することができる。ライト４２の外部部分は、ソリッドステート光源からの熱を分配及び放射するのに使用されることができ、ライト４２の内部部分は、熱導波路及びソリッドステート光源の冷却に使用される。光導波路５２は、図６に示すような電球形又は他の形状で形成されてもよい。光導波路５２の内部部分は、図６に示した電球形のような所定の形状を有して内部体積を形成することができ、熱導波路は光導波路の内部体積と統合されて、ソリッドステート光源からの熱伝導を提供することができる。
【００１６】
図９は、能動冷却要素８８を有するソリッドステートライト７４の断面側面図である。ライト７４は、ライト４２と同様の構造を有することができる。ライト７４は、基部７６と、光導波路８４と、熱導波路８６と、場合による熱拡散リング７８上に配置されたＬＥＤ８０及び８２等のソリッドステート光源とを備える。ファン等の能動冷却要素８８は、自由対流に加えて、通気道８７を通して空気を引き込んで冷却する。能動冷却要素８８は、基部７６を介して電源に結合されてもよく、ライト７４の作動中に連続的に駆動されてもよく、又はライト７４が所定の温度を超えた場合にのみ能動冷却要素８８を作動させる（active）温度センサを含んでもよい。
【００１７】
図１０〜１５は、光を放射するための外部部分と、統合された熱導波路による冷却のための内部部分とを有するソリッドステートライトの更なる構成を示す。これらは、上述したようなライト４２と同様の様式で機能することができる。図１０及び１１はそれぞれ、穿孔された通気道開口部を有するソリッドステートライト９０の側面図及び上面図である。ライト９０は、電源に接続するための基部９２と、光を分配するための光導波路９８と、光導波路９８を通した通気道１００と、光導波路９８と関連した熱導波路と、を備える。熱導波路は、フィン１０２、リング９４、及び基部９２とリング９４との間の穿孔部分９６を含む。穿孔部分９６は、通気道１００を通した空気の流れを可能にする。熱導波路のフィン１０２は、リング９４からの熱を伝導し、対流によって熱を通気道１００内に放散する。
【００１８】
図１２及び１３はそれぞれ、複数の開口を有する熱導波路を含むソリッドステートライト１０４の側面図及び上面図である。ライト１０４は、電源に接続するための基部１０６と、光を分配するための光導波路１１４と、光導波路１１４を通した通気道１１６と、光導波路１１４と関連した熱導波路と、を備える。熱導波路は、フィン１１８、リング１０８、及び基部１０６とリング１０８との間に複数の開口１１２を有する部分１１０を含む。開口１１２は、空気が通気道１１６を通って流れることを可能にする。熱導波路のフィン１１８は、リング１０８からの熱を伝導し、対流によって熱を通気道１１６内に放散する。
【００１９】
図１４及び１５はそれぞれ、単一の開口を有する熱導波路を備えるソリッドステートライト１２０の側面図及び上面図である。ライト１２０は、電源に接続するための基部１２２と、光を分配するための光導波路１３０と、光導波路１３０を通した通気道１３２と、光導波路１３０と関連した熱導波路と、を備える。熱導波路は、フィン１３４、リング１２４、及び基部１２２とリング１２４との間に開口１２８を有する部分１２６を含む。開口１２８は、空気が通気道１３２を通って流れることを可能にする。熱導波路のフィン１３４は、リング１２４からの熱を伝導し、対流によって熱を通気道１３２内に放散する。
【００２０】
図１６〜１８は、上述したソリッドステートライト用の光導波路のための、場合による様々な機構を示す。図１６は、光抽出機構１４２を有する光導波路１４０を図示する略図である。このような光抽出機構は、光導波路により放射される光をより大量に、又はより均一な光の分配を提供するように使用することができ、又は例えば特定の照明パターンのための光パターンの調整のような特定の光学的効果を提供することができる。抽出機構の例としては、光導波路の外面又は内面上に印刷され、又は別様に固着された光抽出材料のドット又は他の形状のパターンが挙げられる。抽出機構は、サンドブラスト又は他の技術による光導波路の外側の粗面化も含み得、また他の抽出機構は、例えば微細構造化プリズム又は小型レンズ等の、表面上に形成された微細構造化機構を含む。
【００２１】
図１７は、冷却用の開口１４６を有する光導波路１４４を図示する略図である。ソリッドステートライトが実質的に水平にマウントされた場合、例えば通気道６０を通した、光導波路の内面に実質的に沿った空気の流れではなく、開口１４６が、光導波路を通して熱導波路を横切る空気の流れを提供して、対流によって冷却することができる。開口１４６は抽出機構としても機能することができる。
【００２２】
図１８は、反射層１５０を有する光導波路１４８を図示する略図である。光導波路１４８は、その内面上に反射層１５０を含むことができ、したがって光導波路１４８を通して分配された光の部分は、反射層１５０により反射され、光導波路の内面から放射されるのではなく外面１５２から放射される。反射層の例は、３Ｍ  Ｃｏｍｐａｎｙから入手可能なＥｎｈａｎｃｅｄ  Ｓｐｅｃｕｌａｒ  Ｒｅｆｌｅｃｔｉｖｅ（ＥＳＲ）フィルム製品である。
【００２３】
図１９〜２２は、熱導波路のフィンをマウントする際に使用される機構を有する熱拡散器１６０を示す。図１９は、熱導波路用のフィンに結合する機構を形成する前の、熱拡散器１６０の上面図である。図２０、２１及び２２はそれぞれ、機構を形成した後の、熱拡散器１６０の上面図、側面図及び斜視図である。熱拡散器１６０は、上述した熱拡散リング４６と同様の様式で作動することができるが、冷却フィンをマウントして熱導波路と接続するための追加の機構を有する。
【００２４】
図１９に示すように、熱拡散器１６０は、リング部分１６２と、三角形の形状を有する部分１６４、１６６、１６８及び１７０とを有する。製造プロセスにおいて、熱拡散器１６０は、１枚の金属又は他の材料から形成されてもよい。例えば、スタンピングプロセスを用いて、１枚の金属から熱拡散器１６０を切り取り、図２０〜２２に示すように、部分１６４、１６６、１６８及び１７０をリング部分１６２に対して実質的に直角に屈曲して、上方突出部を形成してもよい。
【００２５】
ソリッドステート光源は、熱拡散リング４６上にマウントされたＬＥＤと同様の様式で、リング部分１６２上にマウントされてもよい。上述したフィン等の熱導波路の冷却フィンは、はんだ付け、導電性エポキシ、クリップを介して、又は他のやり方で部分１６４、１６６、１６８及び１７０に熱的に接続され得る。この様式で、マウント機構を有する熱拡散器１６０は、有効に熱導波路の一部となり、１枚の材料から容易に製造することができる。三角形の形状を有する４つの部分１６４、１６６、１６８及び１７０は、例示のみを目的として図示されている。より多数又は少数の機構を使用してもよく、また機構はそれらが接続される冷却フィンの構成に応じて様々な形状を有してもよい。
【図１】
2016012573.tif 000003
【図２】
2016012573.tif 000004
【図３】
2016012573.tif 000005
【図４】
2016012573.tif 000006
【図５】
2016012573.tif 000007
【図６】
2016012573.tif 000008
【図７】
2016012573.tif 000009
【図８】
2016012573.tif 000010
【図９】
2016012573.tif 000011
【図１０】
2016012573.tif 000012
【図１１】
2016012573.tif 000013
【図１２】
2016012573.tif 000014
【図１３】
2016012573.tif 000015
【図１４】
2016012573.tif 000016
【図１５】
2016012573.tif 000017
【図１６】
2016012573.tif 000018
【図１７】
2016012573.tif 000019
【図１８】
2016012573.tif 000020
【図１９】
2016012573.tif 000021
【図２０】
2016012573.tif 000022
【図２１】
2016012573.tif 000023
【図２２】
2016012573.tif 000024
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
ライトであって、光導波路と、光源と接触して前記光源からの熱を伝導及び放散し、前記ライトを機能させる熱導波路と、を有するライトであって、
光源と、
前記光源に結合されて、前記光源からの光を受光及び分配する光導波路であって、前記光が前記光導波路の表面から出射するまで前記光が前記光導波路内で輸送される、光導波路と、
前記光導波路の少なくとも一部に同延にて近接して存在し、又は、前記光導波路の少なくとも一部の体積内に存在して、前記光源からの熱伝導を提供して前記ライトを冷却する熱導波路であって、前記熱導波路は、前記光源からの熱を伝導するとともに前記熱を放散することができる固体物を備える、熱導波路と、を備え、
前記光導波路は、第１の表面、前記第１の表面の反対の第２の表面及び前記第１の表面と前記第２の表面との間の縁を有する材料を備え、前記光は、前記第１の表面又は前記第２の表面から出射し、前記ライトは、前記第１の表面及び前記第２の表面に近接して空気の流れを提供し、
前記光源を前記光導波路の縁内の半球形又は他のタイプの窪み内に配置して、前記光を前記縁で前記光導波路に光学的に結合するライト。
【請求項２】
ライトであって、光導波路と、光源と接触して前記光源からの熱を伝導及び放散し、前記ライトを機能させる熱導波路と、を有するライトであって、
光源と、
第１の表面、前記第１の表面の反対の第２の表面及び前記第１の表面と前記第２の表面との間の縁を有する材料を備える光導波路であって、前記第２の表面は内部体積を形成し、前記光導波路は、前記光源に結合されて、前記第１の表面又は前記第２の表面を介して前記光源からの光を受光及び分配し、前記光が前記光導波路の前記第１の表面又は前記第２の表面から出射するまで前記光が前記光導波路内で輸送され、前記光源を前記光導波路の縁内の半球形又は他のタイプの窪み内に配置して、前記光を前記縁で前記光導波路に光学的に結合する、光導波路と、
前記内部体積内に少なくとも部分的に含まれ、前記光導波路の少なくとも一部に同延にて近接して存在し、又は、前記光導波路の少なくとも一部の体積内に存在して、前記光源からの熱伝導を提供して前記ライトを冷却する熱導波路であって、前記熱導波路は、前記光源からの熱を伝導するとともに前記熱を放散することができる固体物を備える、熱導波路と、を備えるライト。
【請求項３】
ライトであって、光導波路と、光源と接触して前記光源からの熱を伝導及び放散し、前記ライトを機能させる熱導波路と、を有するライトであって、
光源と、
第１の表面、前記第１の表面の反対の第２の表面及び前記第１の表面と前記第２の表面との間の縁を有する材料を備える光導波路であって、前記第２の表面は内部体積を形成し、前記光導波路は、前記光源に結合されて、前記第１の表面又は前記第２の表面を介して前記光源からの光を受光及び分配し、前記光が前記光導波路の前記第１の表面又は前記第２の表面から出射するまで前記光が前記光導波路内で輸送され、前記光源を前記光導波路の縁に配置して、前記光を前記縁で前記光導波路に光学的に結合する、光導波路と、
前記内部体積内に少なくとも部分的に含まれ、前記光導波路の少なくとも一部に同延にて近接して存在し、又は、前記光導波路の少なくとも一部の体積内に存在して、前記光源からの熱伝導を提供して前記ライトを冷却する熱導波路と、を備え、
前記光導波路は、前記光導波路を貫通する通気道を有するライト。
【外国語明細書】
2016012573000001.pdf